(57)【要約】【課題】缶の開口に際し、細長開口支持枠に挿入させた缶の小片が外れることなく、確実に缶を開口することを可能とするボトル及び缶兼用開口器具の構成を提供すること。【解決手段】内側に溝を有している略円筒状枠、該略円筒状枠の上側天井部２から突設され、缶の開口に際し、小片６を突入させるための細長開口枠３を設けているボトル及び缶兼用開口器具において、略円筒状枠の側部であり、かつ細長開口枠３の下部の位置に突設した支持枠１１によって、略逆Ｌ字型の回動部材４を当該略逆Ｌ字型の略水平方向部分と略垂直方向部分との屈折部位において軸支し、当該略逆Ｌ字型の回動部材４の内、略水平方向部分４２が前記細長開口枠３の下側に設けた隙間３１部分に出入り自在であって、かつ略水平方向部分４２の先端部又はその付近に設けた爪部が、前記指かけ用孔６１に挿脱可能としたことによるボトル及び缶兼用開口器具。【選択図】図１
2007091329.tif 000002
【特許請求の範囲】
【請求項１】
ボトルの開口に際し、当該ボトルの上部に羅着しているキャップに嵌合するために、内側に溝を有している略円筒状枠、該略円筒状枠の上側天井部から突設され、缶の開口に際し、当該缶の上側面に設けられ、かつ指かけ用孔を有している小片を突入させるための細長開口枠を設けているボトル及び缶兼用開口器具において、略円筒状枠の側部であり、かつ細長開口枠の下部の位置に突設した支持枠によって、略逆Ｌ字型の回動部材を当該略逆Ｌ字型の略水平方向部分と略垂直方向部分との屈折部位において軸支し、当該略逆Ｌ字型の回動部材の内、略水平方向部分が前記細長開口枠の下側に設けた隙間部分に出入り自在であって、かつ略水平方向部分の先端部又はその付近に設けた爪部が、前記指かけ用孔に挿脱可能であることに基づくボトル及び缶兼用開口器具。
【請求項２】
回動部材の形状である略逆Ｌ字型の内、垂直方向部分と支持枠との間に弾性部材を介在させ、回動部材の略水平方向部分が、弾性的に細長開口枠に対し弾性的に挿入可能であり、かつ爪部の内、細長開口枠の出口方向の側面が上側となるに従って、出口から順次遠距離となるように設計されることによって、小片の突入によって押圧された際、当該弾性力に抗した状態にて前記略水平方向部分が下側に回動し、かつ指かけ用孔が爪部の上側に到来した段階に、当該指かけ用孔に挿貫し得ることを特徴とする請求項１記載のボトル及び缶兼用開口器具。
【請求項３】
弾性部材がスプリングであることを特徴とする請求項２記載のボトル及び缶兼用開口器具。
【請求項４】
弾性部材がエラストマーであることを特徴とする請求項２記載のボトル及び缶兼用開口器具。
【発明の詳細な説明】
【技術分野】
【０００１】
本発明は、ボトルの開口及び缶の開口双方を兼用し得る器具に関するものである。
【背景技術】
【０００２】
ボトルの開口に際し、当該ボトルの上部に羅着しているキャップに嵌合するために、内側に溝を有している略円筒状枠１、該略円筒状枠１の上側天井部２から突設され、缶の開口に際し、当該缶の上側面において設けられ、かつ指かけ用孔を有している小片を突入させるための細長開口枠３を設けているボトル及び缶兼用開口器具（以下「本件兼用器具」と略称する。）に関する基本構成は図５に示すとおりであるが、このような構成は、公然と知られている。
【０００３】
本件兼用器具においては、略円筒状枠１によってボトルのキャップに嵌合したうえでキャップを開口する際、当該円筒枠の上側天井部分から突設されている細長開口枠３を把持し、かつ回動させ、梃子の原理に基づいて前記開口を実現する一方、缶の小片を細長開口枠３に突入させたうえで、当該小片によって開口する際、略円筒状枠１を把持した状態にて缶の上側面に細長開口枠３の先端を接触させながら、略円筒状枠１の上側に回動させ、かつ梃子の原理を利用して小片を上側に引き上げることによって、缶の上側面における開口用刻線を破断させることによって開口を実現している。
【０００４】
本件兼用器具については、ボトルを開口する際、直接手によってキャップに触れる必要がなく、他方、缶を開口する際、小片の指かけ用孔に指を挿入せずに開口し得ることから、指及び爪との損傷を伴わずに開口を実現し得る点において極めて便利である。
【０００５】
しかしながら、従来の構成による本件兼用器具においては、缶を開口するために小片を当該開口部に突入させたうえで、小片を上側に移動させる際、小片が細長開口枠３内において滑ることによって、当該細長開口部３から外れ、円滑な缶の開口が実現できないという危険性、及び当該危険性に基づく作用上の不安定を免れることができない。
【０００６】
しかるに、従来技術においては、この点を改善するような構成は、全く提唱されていない。
【０００７】
しかも、以下のような特許文献においては、缶の開口に際し小片及び開口部に関する構成上の特徴点を提唱するも、缶の開口に寄与している本件器具の構成の改良については、格別の提言を行っている訳ではない。
【０００８】
【特許文献１】実開昭５６−２８９２６号公報。
【特許文献２】実開平６−３５１２５号公報。
【特許文献３】特開２００３−２３７７７９号公報。
【発明の開示】
【発明が解決しようとする課題】
【０００９】
本発明は、缶の開口に際し、細長開口枠に挿入させた缶の小片が外れることなく、確実に缶を開口することを可能とするボトル及び缶兼用開口器具の構成を提供することを課題としている。
【課題を解決するための手段】
【００１０】
前記課題を解決するため、本発明の基本構成は、ボトルの開口に際し、当該ボトルの上部に羅着しているキャップに嵌合するために、内側に溝を有している略円筒状枠、該略円筒状枠の上側天井部から突設され、缶の開口に際し、当該缶の上側面に設けられ、かつ指かけ用孔を有している小片を突入させるための細長開口枠を設けているボトル及び缶兼用開口器具において、略円筒状枠の側部であり、かつ細長開口枠の下部の位置に突設した支持枠によって、略逆Ｌ字型の回動部材を当該略逆Ｌ字型の略水平方向部分と略垂直方向部分との屈折部位において軸支し、当該略逆Ｌ字型の回動部材の内、略水平方向部分が前記細長開口枠の下側に設けた隙間部分に出入り自在であって、かつ略水平方向部分の先端部又はその付近に設けた爪部が、前記指かけ用孔に挿脱可能であることに基づくボトル及び缶兼用開口器具からなる。
【発明の効果】
【００１１】
本発明においては、略逆Ｌ字型の回動部材の屈折部分を軸支することによって、前記略水平方向部分が細長開口枠の下側部分に設けた隙間部分との間にて挿脱自在としていることから、略Ｌ字型の水平方向部分の先端又はその付近に設けた上方に突設した爪部を細長開口枠に突入して来た小片の指かけ用孔に挿貫することによって、小片が細長開口枠から外れることを完全に防止し、安全かつ安定した状態による缶の開口を実現することが可能となる。
【発明を実施するための最良の形態】
【００１２】
図３は、本発明の典型的な実施形態を示しており、（ａ）は略円筒状枠１並びに支持枠１１の断面を細長開口枠３の側断面（但し、側面としては隙間部分３１の部位のみを示す）、回動部材の側面を示しており、（ｂ）は正面図を示している。
【００１３】
図３（ａ）、（ｂ）に示すように、略円筒状枠１の側部及び細長開口枠３の下部から突設されている支持枠１１によって軸支されている略逆Ｌ字型の回動部材４の略水平部分の先端又はその付近において、上側に爪部４４を突設しており、略水平部分が細長開口枠３の下側部分の隙間部分３１に挿入した場合には、爪部４４は小片６の指かけ用孔６１に挿貫することが可能となる。
【００１４】
通常前記軸支は、ピン５を支持枠１１及び回動部材の前記屈折部分４３に挿通することによって実現することができる。
【００１５】
本件発明に係る本件兼用器具の使用者は、缶を開口する際には、小片６を細長開口枠３に突入させた後、当該回動部材を、細長開口枠３の下側に位置している隙間部分３１に挿入させ、かつ前記上方突出部を小片６の指かけ用孔６１に挿通させることによって、小片６が細長開口枠３から外れることを確実に防止することができる。
【００１６】
実際の使用段階においては、図３（ａ）に示すように、回動部材の形状である略逆Ｌ字型の内、垂直方向部分４２と支持枠１１との間に弾性部材７を介在させ、略水平方向部分４１が、細長開口枠３に対し弾性的に挿入可能であり、かつ爪部４４の内、細長開口枠３の出口方向の側面が上側となるに従って、出口から順次遠距離となるように設計されることによって、小片６の突入によって押圧された際、当該弾性力に抗した段階にて前記略水平方向部分４１が下側に回動し、かつ指かけ用孔６１が爪部４４の上側に到来した段階に、当該指かけ用孔６１に挿貫し得ることを特徴とする実施形態が好適に採用されている。
【００１７】
前記実施形態においては、小片６が細長開口枠３に突入した場合には、図４（ａ）に示すように、前記のような爪部４４の形状によって小片６の突入に伴って爪部４４が弾性部材７の押圧力に逆らった状態にて下方に回動することによって、小片６の更なる突入を助長し、指かけ用孔６１が下方に回動した爪部４４の位置に到来した段階にて、回動部材に対する前記押圧力に基づいて回動することによって、図４（ｂ）に示すように、爪部４４が指かけ用孔６１に挿入され、細長開口枠３が小片６と確実に結合することになる。
【００１８】
本件兼用器具は、プラスチック及び金属の何れをも採用可能である。
但し、略逆Ｌ字型の回動部材４については、ピン５によって軸支され、当該軸支部分の磨耗及び疲労を考慮した場合には、金属製であることが好ましい。
【００１９】
以下、実施例に従って説明する。
【実施例１】
【００２０】
実施例１は、前記弾性力によって回動部材が押圧されている実施形態において、図１に示すように、弾性部材７がエラストマー７２であることを特徴としている。
【００２１】
このようなスプリングバネの採用によって、図４（ａ）、（ｂ）に示すような動作を確実に実現することが可能となる。
【実施例２】
【００２２】
実施例２もまた実施例１と同様の実施形態に立脚したうえで、図２に示すように、弾性部材７がエラストマー７２であることを特徴としている。
【００２３】
実施例２においても、実施例１と同様の作用効果を発揮することが可能となる。
【産業上の利用可能性】
【００２４】
本発明は、液状飲用物が充填されているプラスチック製ボトルの開口、及び液状飲用物、更には肉、魚、羊羹などの菓子類が充填されている缶の開口を実現する家庭用器具の分野において利用することが可能である。
【図面の簡単な説明】
【００２５】
【図１】実施例１の構成を示す側面図である。
【図２】実施例２の構成を示す側面図である。
【図３】弾性力を介在させた実施形態の構成を示しており、（ａ）は側断面図であり、（ｂ）は正面図である。
【図４】図３に示す実施形態において、突入して来る小片と略逆Ｌ字型の回動部材との関係を示しており、（ａ）は爪部が指かけ用孔に挿貫される前の段階を示しており、（ｂ）は前者が後者に挿貫された段階の場合を示している。
【図５】本件兼用器具の基本構成を示しており、（ａ）は円筒枠を斜め上側とする斜視図であり、（ｂ）は円筒枠の天井を斜め上側とする斜視図である。
【符号の説明】
【００２６】
１  略円筒状枠
１１  支持枠
２  略円筒状枠に対する天井部
３  細長開口枠
３１  隙間部分
４  略逆Ｌ字型の回動部材
４１  回動部材の内の略水平方向部分
４２  回動部材の内の略垂直方向部分
４３  回動部材の内の屈折部分
４４  爪部
５  ピン
６  小片
６１  指かけ用孔
７  弾性部材
７１  弾性スプリング
７２  エラストマー
【図１】
2007091329.tif 000003
【図２】
2007091329.tif 000004
【図３】
2007091329.tif 000005
【図４】
2007091329.tif 000006
【図５】
2007091329.tif 000007